(57)【要約】【課題】一対の対向長辺間に多数のロールパイプを一定のピッチで回転自在に支持させて棚板の載置面を形成する棚を、上下部の金属線材間に波形に屈曲させた補強金属線材の上下屈曲部を溶接した棚板の周枠を利用し、構成が簡単で安価なものとして提供する。【解決手段】支柱１への取付部４を４隅に設けた棚板２の周枠１０を、上下部の金属線材１１，１２間に一定のピッチで波形に屈曲させた補強金属線材１３を配して、その屈曲部１３ａをそれぞれ溶接固定することにより構成する。上記周枠の一対の対向辺の対向位置における上下部の金属線材の一方と補強金属線材の屈曲部の内側との間に形成される三角形状の空間１５に支持軸１６を保持させ、対向辺の対向位置間の支持軸に、ロールパイプ１８を回転自在に支持させて、該ロールパイプ列により棚板の載置面を形成する。【選択図】図４
2014155517.tif 000002
【特許請求の範囲】
【請求項１】
支柱に取り付けるための取付部を４隅に設けた棚板の周枠を、平行配置の上下部の直線状金属線材間に一定のピッチで上下に波形に屈曲させた補強金属線材を配して、該補強金属線材の上下屈曲部をそれぞれ上記上下部の金属線材に対して溶接固定することにより構成し、
上記周枠のうちの一対の対向長辺の対向位置における上記上下部の金属線材の一方と上記補強金属線材の屈曲部の内側との間に形成される三角形状の空間に支持軸を保持させ、
上記周枠の対向辺の対向位置間の支持軸に、それぞれロールパイプを回転自在に支持させて、該ロールパイプ列により棚板の載置面を形成させた、
ことを特徴とするローラ付き載置面を備えた棚。
【請求項２】
上記支持軸を、周枠における下部の金属線材と補強金属線材との間の三角形状の空間にそれぞれ保持させた、
ことを特徴とする請求項１に記載のローラ付き載置面を備えた棚。
【請求項３】
支持軸に回転自在に支持させたロールパイプ列上の載置面の周囲において、上記周枠の上部の金属線材により棚板の載置物滑り落ち防止用の縁枠を形成させた、
ことを特徴とする請求項２に記載のローラ付き載置面を備えた棚。
【請求項４】
上記周枠における三角形状の空間に対する支持軸の保持を、該支持軸の軸線方向への移動を拘束するものとして形成した、
ことを特徴とする請求項１〜３のいずれかに記載のローラ付き載置面を備えた棚。
【請求項５】
上記支持軸の軸線方向への移動の拘束を、棚板の周枠への該支持軸のかしめ、該支持軸に対するピンの挿入または止めリングの嵌着による周枠への位置決め、或いは周枠の外側に沿うように固定して支持軸に当接する当接部材によって行う、
ことを特徴とする請求項４に記載のローラ付き載置面を備えた棚。
【発明の詳細な説明】
【技術分野】
【０００１】
本発明は、金属線材によって形成される棚板を備えた棚に関するものであり、更に具体的には、上記棚板に載置作業の容易性や載置量の増大等を図るためのローラ付きの載置面を備えた棚に関するものである。
【背景技術】
【０００２】
特許文献１に開示されているように、複数の金属線材を網状に組んで接点を溶接してなる複数の棚板Ｔと、それらの棚板を支える支柱１とを備え、上下に対向する上記棚板の間に、該棚板の長手方向に移動可能なスライド棚Ｓ，Ｓ１〜Ｓ３を配設し、該スライド棚の底面に、上記棚板の長手方向に延設される複数の金属線材をレールとして転動可能なローラ部材Ｒを配設した組立棚が既に知られている。
【０００３】
上記組立棚における棚板は、当該棚板を構成するための長手方向に延設した複数の金属線材を、上記スライド棚に設けた複数のローラ部材Ｒが転動するレールとして利用するものであるため、このレールの設置という点では棚板の基本的構成を有効に利用するものではあるが、上記ローラ部材Ｒをスライド棚に設けているため、該スライド棚に載置したものだけしか横移動させることができないものであり、任意の位置に載置した物品を円滑に任意方向に横移動させることは困難である。
【０００４】
このような問題は、例えば、棚板の長手方向に延設された該棚板の周枠のうちの一対の対向長辺間に、多数のロールパイプを一定のピッチで回転自在に支持させて、該ロールパイプ列により棚板の載置面を形成させれば解決できるものであるが、上記ロールパイプ列により棚板の載置面を形成する場合、各ロールパイプの最上面がほぼ単一平面内にあることが、載置した物品の円滑な横移動のために必要であり、そのためには、棚板の長手方向に延設される周枠に一定のピッチで一直線上に中心が位置する多数のロールパイプの取付孔を開設する必要があり、かかる多数の取付孔の開設には、それなりの加工設備が必要になり、製造コストを高めることになる。
【先行技術文献】
【特許文献】
【０００５】
【特許文献１】登録実用新案第３１０３８１０号公報
【発明の概要】
【発明が解決しようとする課題】
【０００６】
本発明者らは、多数のロールパイプを一定のピッチで回転自在に支持させて載置面を形成させた棚板を、簡単、安価に製造するべく、特許文献１に開示されているような金属線材で形成されている既知の棚板の周枠の構成に着目し、即ち、平行配置の上下部の金属線材間に一定のピッチで上下に波形に屈曲させた補強金属線材を配して、該補強金属線材の上下屈曲部をそれぞれ上記上下部の金属線材に対して溶接固定した周枠の構成に着目し、その利用について考察したところ、該周枠の上下部の直線状金属線材の一方と規則的波形に屈曲されている補強金属線材の屈曲部の内側との間に形成される三角形状の空間の配列が上記多数のロールパイプの取り付け用の孔列として有効に利用できることを見出し、本発明をなすに至ったものである。
【０００７】
更に具体的には、上記周枠における三角形状の空間の配列は、上下部のいづれかの金属線材の表面により与えられるところの、ロールパイプの取り付けの位置決めに供する共通の平面内に位置する周面部分を有し、しかも上記補強金属線材を一定のピッチで上下に波形に屈曲させていることから、該補強金属線材の屈曲により形成される三角形状の空間の配列が、上記多数のロールパイプの取り付け用の孔列として利用するのに好適なものであり、また、該空間が三角形状であることも断面円形のロールパイプの支持軸の位置決めを容易にするものであり、これらによって上記三角形状の空間の配列を有効利用できることがわかった。
【０００８】
上述したところから分かるように、本発明の技術的課題は、棚板の周枠のうちの一対の対向長辺間に多数のロールパイプを一定のピッチで回転自在に支持させて、該ロールパイプ列により棚板の載置面を形成させるに際し、上記棚板の周枠として、平行配置の上下部の金属線材間に一定のピッチで波形に屈曲させた補強金属線材を配してその上下屈曲部を上記金属線材に溶接した周枠を有効に利用し、ロールパイプ列により棚板の載置面を形成した棚を、構成が簡単で安価なものとして提供することにある。
【課題を解決するための手段】
【０００９】
上記課題を解決するため、本発明によれば、支柱に取り付けるための取付部を４隅に設けた棚板の周枠を、平行配置の上下部の直線状金属線材間に一定のピッチで上下に波形に屈曲させた補強金属線材を配して、該補強金属線材の上下屈曲部をそれぞれ上記上下部の金属線材に対して溶接固定することにより構成し、上記周枠のうちの一対の対向長辺の対向位置における上記上下部の金属線材の一方と上記補強金属線材の屈曲部の内側との間に形成される三角形状の空間に支持軸を保持させ、上記周枠の対向辺の対向位置間の支持軸に、それぞれロールパイプを回転自在に支持させて、該ロールパイプ列により棚板の載置面を形成させたことを特徴とするローラ付き載置面を備えた棚が提供される。
【００１０】
本発明に係る上記棚の好ましい実施形態においては、上記支持軸を、周枠における下部の金属線材と補強金属線材との間の三角形状の空間にそれぞれ保持させたものとして構成され、また、上記支持軸に回転自在に支持させたロールパイプ列上の載置面の周囲において、上記周枠の上部の金属線材により棚板の載置物滑り落ち防止用の縁枠が形成される。
【００１１】
本発明に係る上記棚の他の好ましい実施形態においては、上記周枠における三角形状の空間に対する支持軸の保持を、該支持軸の軸線方向への移動を拘束するものとして形成し、より具体的には、上記支持軸の軸線方向への移動の拘束を、棚板の周枠への該支持軸のかしめ、該支持軸に対するピンの挿入または止めリングの嵌着による周枠への位置決め、或いは周枠の外側に沿うように固定して支持軸に当接する当接部材等によって行うことができる。
【発明の効果】
【００１２】
以上に詳述した本発明のローラ付き載置面を備えた棚によれば、棚板の周枠のうちの一対の対向長辺間に多数のロールパイプを一定のピッチで回転自在に支持させて、該ロールパイプ列により棚板の載置面を形成させるに際し、上記棚板の周枠として、平行配置の上下部の金属線材間に一定のピッチで波形に屈曲させた補強金属線材を配することにより、上記金属線材と補強金属線材との間に形成した三角形状の空間を有効に利用し、ロールパイプ列により棚板の載置面を形成した棚を構成が簡単で安価なものとして構成することができる。
【図面の簡単な説明】
【００１３】
【図１】本発明に係る棚において用いる板板の一例を示す平面図である。
【図２】同棚板の正面図である。
【図３】同棚板の側面図である。
【図４】本発明に係る棚の実施例の要部を示す部分斜視図である。
【発明を実施するための形態】
【００１４】
図１〜図４は、本発明に係るローラ付き載置面を備えた棚の実施の一例を示している。この棚は、金属製の支柱１に取り付けるための取付部４を４隅に設けた棚板２を備え、該取付部４の支柱１に対する取り付けは、上側縮径の円錐面を外面に有する一対の半割円筒状の係止部材（図示省略）を支柱１に取り付け、該係止部材に棚板２の隅部に設けた筒状で少なくとも内面が上側縮径の円錐面になるように形成した筒状のコーナー部材６を外嵌させ、それらの両円錐面の圧接により棚板２を支柱１に支持させている。
なお、上記支柱１の外周面には、軸線方向に沿って等間隔に多数の環状係合溝１ａを設け、また、係合部材の内周面には、上記支柱１の外周面の環状係合溝１ａに係合する係合突条を設けることにより、支柱１に対する係合部材の軸線方向移動を抑止している。
上記棚板２の支柱１に対する取り付けは、かかる手段に限るものではない。
【００１５】
上記棚板２は、上記４隅のコーナー部材６に固定された周枠１０を備えている。この周枠１０は、上下部の直線状金属線材１１，１２間に一定のピッチで上下に波形に屈曲させた補強金属線材１３を配して、該補強金属線材１３の上下屈曲部１３ａをそれぞれ上記上下部の金属線材１１，１２に対して溶接によって固定することにより構成し、上下部の直線状金属線材１１，１２の両端をそれぞれ上記コーナー部材６に溶接して固定している。
【００１６】
上記棚板２における周枠１０のうちの一対の平行配置の対向長辺においては、一対の上下部の金属線材１１，１２と上記補強金属線材１３の屈曲部１３ａの内側との間にそれぞれ三角形状の空間１５が形成されるが、一対の対向長辺における対向する三角形状の空間１５ができるだけ正対位置に配設されるように、該一対の対向長辺において、上記補強金属線材１３は、その屈曲部１３ａの位置を含めて可能な範囲で同一位置に配設され、その対向位置にある三角形状の空間１５にそれぞれ支持軸１６を保持させ、各対向位置間の支持軸１６に、それぞれロールパイプ１８を回転自在に支持させて、該ロールパイプ列により棚板の載置面を形成させている。
【００１７】
上記支持軸１６は、図示しているように、一対の対向長辺における対向する三角形状の両空間１５の間に、各１本の支持軸１６の両端を挿入するようにしてもよいが、一対の対向辺のそれぞれに短寸の支持軸を嵌入して、対向する両空間１５に嵌入した該短寸の支持軸にロールパイプ１８の両端を回転自在に支持させるようにしてもよい。
いずれにしても、周枠１０における三角形状の空間１５に対する支持軸１６の保持は、少なくとも該支持軸１６の軸線方向への移動を拘束するものとして、何らかの手段で行う必要があり、より具体的には、例えば、棚板の周枠１０への該支持軸１６の部分的なかしめ、該支持軸１６に対して軸線方向への移動を抑止するピンの挿入、または、該支持軸の周りに設けた周溝に止めリングの嵌着による周枠への位置決めなどの慣用の手段により、或いは、周枠１０の外側に沿うように固定して支持軸端に当接する当接部材等を設けることによって行うことができる。
【００１８】
上記ローラ付き載置面を備えた図示の棚においては、上記支持軸１６を、周枠１０における下部の金属線材１２と補強金属線材１３との間の三角形状の空間１５にそれぞれ保持させ、それによって取付位置を低くした支持軸１６に各ロールパイプ１８を回転自在に支持させ、ロールパイプ列上の載置面の周囲において、上記周枠１０の上部の金属線材１１により該載置面よりも高い載置物滑り落ち防止用の縁枠を形成させ、ロールパイプ列によって載置面上を滑り易くなっている載置物の棚板２からの滑り落ちを抑止できるようにしているが、載置物滑り落ち防止用の縁枠を別部材によって形成してもよい。
【００１９】
なお、図示の実施例では、上記周枠１０の一対の対向長辺の対向位置における下部の金属線材１２と補強金属線材１３の屈曲部１３ａの内側との間に形成される三角形状の空間１５に支持軸１６を保持させているが、上記周枠の上部の金属線材１１と補強金属線材１３の屈曲部１３ａの内側との間に形成される三角形状の空間に支持軸１６を保持させることもできる。この場合には、上記ロールパイプ列によって形成される棚板２の載置面が、周枠１０の上部の金属線材１１と同等の高さに近付くことにより、載置面への載置物の上げ下ろしが容易になる。
【００２０】
上記構成を有するローラ付き載置面を備えた棚は、その棚板２の上面のロールパイプ列によって形成される載置面に載置した物品を、該載置面上においてロールパイプ１８の軸線に直交する方向に軽く移動させることができ、そのため、棚板２上への物品の上げ下ろし、棚板２上での物品の移動を容易に行うことができ、しかも、ロールパイプ列により棚板の載置面を形成した棚を構成が簡単で安価なものとして構成することができる。
なお、上記支柱１に取り付ける棚板の数は特に限定されるものではなく、また、上記ローラ付き載置面を有する棚板２は、支柱１に取り付ける複数の棚板の全部であっても、それらの棚板の一部であってもよい。
【符号の説明】
【００２１】
１    支柱
２    棚板
４    取付部
１０    周枠
１１，１２    金属線材
１３    補強金属線材
１３ａ  屈曲部
１５    空間
１６    支持軸
１８    ロールパイプ
【図１】
2014155517.tif 000003
【図２】
2014155517.tif 000004
【図３】
2014155517.tif 000005
【図４】
2014155517.tif 000006